(57)【特許請求の範囲】
【請求項１】
メークアップアイテム（２）であって、
‐アプリケーター（４）であって、アプリケーションヘッド（１１）が包囲面を定める、アプリケーターと、
‐メークアップ製品（８）のディスペンサー（６）であって、前記アプリケーター（４）の受け取りの場所（２２）を呈し、少なくとも１つのアウターバルブ（３２）を備え、前記バルブ（３２）は、少なくとも１つのディスペンス開口（４４，５６）が設けられており、前記ディスペンス開口（４４，５６）は、前記アプリケーター（４）が前記場所（２２）に受け取られるときに前記包囲面の一部に向かい合って位置し、前記バルブ（３２）は、閉位置と開位置とをとることができ、開位置では、前記バルブ（３２）が、前記アプリケーター（４）の前記ヘッド（１１）に対して直接製品（８）を放出する、ディスペンサーと、
−メークアップ製品（８）で充填されることができるチャネル（３４）と、
を含み、
前記バルブ（３２）は、重ねられるが間隔をあけられる、少なくとも２つの上弾性壁（５２）および下弾性壁（５４）によって構成され、前記上弾性壁（５２）は、ディスペンス開口（５６）を呈し、前記下弾性壁（５４）は、少なくとも１つの内部開口（５８）と、前記バルブ（３２）が閉位置を占めるときに前記ディスペンス開口（５６）をふさぐように配置された少なくとも１つの閉鎖レリーフ（６０）と、を含むことを特徴とする、メークアップアイテム。
【請求項２】
請求項１に記載のメークアップアイテム（２）であって、前記バルブの開閉が前記ディスペンス開口（４４，５６）でなされるように配置された、メークアップアイテム。
【請求項３】
請求項１または２に記載のメークアップアイテム（２）であって、前記バルブ（３２）は、閉位置をとるときに、前記バルブ（３２）が、前記場所（２２）に受け取られる前記アプリケーター（４）から離れて位置するように配置された、メークアップアイテム。
【請求項４】
請求項１〜３のいずれか１項に記載のメークアップアイテム（２）であって、前記ディスペンサー（６）は、メークアップ製品（８）を貯蔵するフレキシブルパウチ（３０）をさらに含み、このフレキシブルパウチ（３０）は、前記バルブ（３２）に対して動かせるように搭載された剛性リザーバー（２８）の中に収容されている、メークアップアイテム。
【請求項５】
請求項４に記載のメークアップアイテム（２）であって、前記ディスペンサー（６）は、リターンスプリングをさらに含み、前記リターンスプリングは、前記リザーバー（２８）が前記バルブ（３２）に近い、近い位置から、前記リザーバー（２８）が前記バルブ（３２）から離れた、離れた位置に、前記リザーバー（２８）を導くことができる、メークアップアイテム。
【請求項６】
請求項１〜５のいずれか１項に記載のメークアップアイテム（２）であって、前記ディスペンサー（６）は、ポンプ（３６）をさらに含み、前記ポンプ（３６）は、空気取り入れなしに、メークアップ製品（８）を前記バルブ（３２）に供給する、メークアップアイテム。
【請求項７】
請求項１〜６のいずれか１項に記載のメークアップアイテム（２）であって、前記ディスペンサー（６）は、前記バルブ（３２）を制御する外部手段（３８）をさらに含み、この外部手段（３８）は、前記バルブ（３２）へのメークアップ製品（８）の供給を制御する止め具（４０）と関連する、メークアップアイテム。
【請求項８】
請求項１〜７のいずれか１項に記載のメークアップアイテム（２）であって、前記少なくとも２つの上弾性壁（５２）および下弾性壁（５４）は、前記チャネル（３４）を充填するメークアップ製品（８）の圧力だけで、前記バルブ（３２）を開くために変形するように配置される、メークアップアイテム。
【請求項９】
製品ディスペンサー（６）を使ってメークアップアイテム（２）のメークアップアプリケーター（４）にメークアップ製品（８）を置く方法であって、
‐前記アプリケーター（４）のアプリケーションヘッドに対して直接メークアップ製品（８）が放出され、
メークアップ製品（８）の放出は、
−前記メークアップアイテム（２）のチャネル（３４）をメークアップ製品（８）で充填するステップと、
−前記チャネル（３４）を充填するメークアップ製品（８）の圧力の影響下で、前記ディスペンサー（６）の少なくとも１つのアウターバルブ（３２）を開けるステップであって、前記バルブ（３２）には、少なくとも１つのディスペンス開口（４４，５６）が設けられ、前記バルブ（３２）は、重ねられるが間隔をあけられる、少なくとも２つの上弾性壁（５２）および下弾性壁（５４）によって構成され、前記上弾性壁（５２）は、ディスペンス開口（５６）を呈し、前記下弾性壁（５４）は、少なくとも１つの内部開口（５８）と、前記バルブ（３２）が閉位置を占めるときに前記ディスペンス開口（５６）をふさぐように配置された少なくとも１つの閉鎖レリーフ（６０）と、を含む、ステップと、
‐前記アプリケーター（４）の前記アプリケーションヘッドに対して直接メークアップ製品（８）を放出するステップと、
‐前記バルブ（３２）を閉じるステップと、
を含む、
ことを特徴とする、方法。
【発明の詳細な説明】
【技術分野】
【０００１】
本発明は、メークアップアイテムに関する。
【背景技術】
【０００２】
アプリケーターと、アプリケーターに製品を置くようになっているメークアップ製品ディスペンサーと、を含むメークアップアイテムが、知られている。伝統的な様式で、ディスペンサーは、メークアップ製品のリザーバーを含み、その中にアプリケーターが浸され、それは従って製品が装填される。しかしながら、この構成は、たいていの場合アプリケーターへの製品の過度の量の装填を引き起こし、従って、浪費を避けるために製品の剰余を取り除くこと、および本来のメークアップを容易にすることが、望ましい。そのために、リザーバーに、機能が製品の剰余を除去することであるワイパーを取り付けることが知られており、製品の剰余は、再び部分的にリザーバーに戻る。
【０００３】
しかしながら、ワイパーの存在は、一般にある問題を引き起こす。実際、アプリケーターは、浸すことによって製品が装填され、ワイパーは、アプリケーターの表面にある製品を取り去る。アプリケーターの中心のあたり、すなわちロッドのあたりにある製品は、かき取られない。それは、まつげにも置かれない。この製品は、時がたつにつれて乾燥する。
【０００４】
ワイパーは、アプリケーターへの製品の最適化された分量を可能にする。柔らかいワイパーは、アプリケーターの効果的なかき取りを実現するが、それの良好な誘導を、小瓶から引き抜くときに保証しない。従って、アプリケーターに与える角度に応じて、表面領域は多かれ少なかれうまくかき取られる、すなわち、かき取りはアプリケーターの表面で一様でなく、反復的でもない。
【０００５】
ワイパーは、アプリケーターに幾何学的形状の制約を強いる。アプリケーターは、実際、自由端を有し、その自由端は、小瓶へのその導入の際にワイパーのその通過を容易にするために先細になっている。この先細形状は、メークアップの結果に特別な利点を呈さない。
【０００６】
同じく、ワイパーは、一般にスワビングという現象を生じさせる。小瓶へのまたは小瓶の外へのアプリケーターの導入または引き抜きのときに、アプリケーターの運動は、低圧力または超過圧力を小瓶の中に生じさせ、それは、その自由運動を妨げる。この圧力変動によって引き起こされる作用を緩和するために、製品と小瓶との間に自由空気のボリュームが設けざるを得ない。従って、充填のときに、小瓶は、空気のボリュームを保つように製品で完全に満たされない。従って、最初に含まれる製品のボリュームより大きい内部ボリュームを呈する小瓶を構想せざるを得ない。
【発明の概要】
【発明が解決しようとする課題】
【０００７】
本発明の目的は、アプリケーターに製品の剰余の量を置くこと、および空気にさらされる製品の乾燥に起因する、メークアップ製品の浪費を回避するまたは少なくとも減少させることである。
【課題を解決するための手段】
【０００８】
そのために、本発明に従って以下を備えるメークアップアイテムが提供される。
‐アプリケーターであって、アプリケーションヘッドが包囲面を定める、アプリケーター、および
‐メークアップ製品ディスペンサーであって、アプリケーターの受け取りの場所を呈し、少なくとも１つのアウターバルブを備え、バルブは、少なくとも１つのディスペンス開口が設けられており記ディスペンス開口は、アプリケーターが場所に受け取られるときに包囲面の一部に向かい合って位置し、バルブは、閉位置と開位置とをとることができ、開位置では、バルブが、アプリケーターのヘッドに対して直接製品を放出する、ディスペンサー。
【０００９】
従って、アウターバルブは、製品が分配されるアプリケーターの領域を効果的に制御する。それは、分配される製品の量も制御し、従って、ディスペンサーが、アプリケーターの特定の領域でアプリケーターに対して製品の必要な量を放出することを確かにする。さらに、製品が放出された後で、バルブが閉じることで、バルブに供給したがアプリケーターに対して放出されていないメークアップ製品の量を、空気から保護する。このことは、放出されていない製品が空気にさらされること、従って乾燥した製品の残余の形成を、防ぐ。
【００１０】
有利には、バルブの開閉は、ディスペンス開口でなされる。
【００１１】
このことは、アプリケーターで分配される製品の量を最適に制御すること、および、分配の後で、空気にさらされる製品の量を最小限にすることを、を可能にする。
【００１２】
有利には、バルブは、閉位置をとるときに、バルブが、場所に受け取られるアプリケーターから離れて位置するように配置される。
【００１３】
従って、場所に受け取られるアプリケーターは、バルブが閉じられるときに、バルブから非ゼロ距離に位置するので、特に摩擦または衝撃によって、アプリケーターおよびバルブを損傷するリスクが低減する。
【００１４】
有利には、ディスペンサーは、メークアップ製品を貯蔵するフレキシブルパウチをさらに含み、このフレキシブルパウチは、バルブに対して動かせるように搭載された剛性リザーバーの中に収容される。
【００１５】
ディスペンサーのリザーバーおよびフレキシブルパウチの配置のために、バルブは、メークアップ製品を容易に供給されることができる。
【００１６】
好ましくは、ディスペンサーは、リターンスプリングをさらに含み、リターンスプリングは、リザーバーがバルブに近い、近い位置から、リザーバーがバルブから離れた、離れた位置に、リザーバーを導くことができる。
【００１７】
リザーバーの動作中の移動の一部は、こうして自動的に行われ、これは、メークアップアイテムの使用者が提供する労力を抑える。
【００１８】
有利には、ディスペンサーは、空気取り入れなしに、メークアップ製品をバルブに供給するポンプをさらに含む。
【００１９】
このポンプは、従来のポンプを使用するときに生じた、ディスペンサーに製品を押し返すことを防ぐことによって、メークアップ製品をバルブに効果的に供給する。
【００２０】
有利には、ディスペンサーは、バルブを制御する外部手段をさらに含み、この外部手段は、バルブへのメークアップ製品の供給を制御する止め具と関連する。
【００２１】
制御手段は、アイテムの使用者が、メークアップ製品をバルブに容易に供給できるようにする。制御止め具は、バルブに、従ってアプリケーターに、製品の必要で十分な量を運ぶ簡単な手段を提供する。
【００２２】
本発明の第１実施形態によると、アイテムは、メークアップ製品で充填されることができるチャネルをさらに含み、バルブは、チャネルを閉じる少なくとも１つの弾性壁によって構成され、壁は、ディスペンス開口を呈し、チャネルは、少なくとも１つの閉鎖レリーフを含み、閉鎖レリーフは、バルブが閉位置を占めるときに開口をふさぐように配置される。
【００２３】
本発明の第２実施形態によると、メークアップ製品で充填されることができるチャネルをさらに含み、バルブは、重ねられるが間隔をあけられる、少なくとも２つの上弾性壁および下弾性壁によって構成され、上壁は、ディスペンス開口を呈し、下壁は、少なくとも１つの内部開口と、バルブが閉位置を占めるときにディスペンス開口をふさぐように配置された少なくとも１つの閉鎖レリーフと、を呈する。
【００２４】
これらの実施形態のそれぞれで、バルブ設計はシンプルである。
【００２５】
好ましくは、壁は、チャネルを満たしているメークアップ製品の圧力だけで、バルブを開くために変形するように配置される。
【００２６】
従って、追加費用を生じさせ、ディスペンサーでより場所をとる、バルブを開閉する追加手段を設ける必要がない。
【００２７】
本発明は、製品ディスペンサーを使ってメークアップアプリケーターにメークアップ製品を置く方法も提供し、その方法では、
−メークアップ製品が供給されたディスペンサーのアウターバルブを開けることによって、アプリケーターのアプリケーションヘッドに対して直接メークアップ製品を放出する、および
−バルブが閉じる。
【００２８】
添付図面を用いて本発明の実施形態をこれから記述する。
【図面の簡単な説明】
【００２９】
【図１】本発明の実施形態に従ったメークアップアイテムの全体図である。
【図２】図１のアイテムの長手方向断面の分解図である。
【図３】図１のアイテムのリザーバーの離れた位置を示す、図１のメークアップアイテムの長手方向断面図である。
【図４】図１のアイテムのリザーバーの接近した位置を示す、図１のメークアップアイテムの長手方向断面図である。
【図５】本発明の第１実施形態に従った図１のメークアップアイテムのチャネルおよびバルブを示す。
【図６】本発明の第１実施形態に従った図１のメークアップアイテムのチャネルおよびバルブを示す。
【図７】バルブの２つの異なった位置にある、図６のチャネルおよびバルブのＶＩＩ−ＶＩＩに従った断面図である。
【図８】バルブの２つの異なった位置にある、図６のチャネルおよびバルブのＶＩＩ−ＶＩＩに従った断面図である。
【図９】本発明の第２実施形態に従った図１のメークアップアイテムのチャネルおよびバルブを示す。
【図１０】図９のチャネルおよびバルブのＸ−Ｘに従った断面図である。
【発明を実施するための形態】
【００３０】
図１および２に、本発明の第１実施形態に従ったメークアップアイテム２を示す。この品物２は、アプリケーター４と、メークアップ製品８のディスペンサー６と、を含む。この製品８は、例えばマスカラであるが、グロス、口紅またはマニキュア液のような他のメークアップ製品、または一般的にあらゆる化粧用または香水製品が使用され得る。
【００３１】
アプリケーター４は、この場合、アプリケーター４が櫛の種類であるように、アプリケーションヘッド１１を構成するその端部の１つで歯または凹凸１２を有するロッド１０によって構成される。アプリケーションヘッド１１は、アプリケーター４の包囲面を定める。一般的に、アプリケーター４は、以下のカテゴリーの少なくとも１つに属し得る：射出ブラシ、ブラシおよび櫛。同じく、アプリケーター４は、他の形状、とりわけ筆または剛性またはしなやかなパレットの形状を有し得る。
【００３２】
ディスペンサー６は、ハウジング１６を構成するケース１４と、ハウジング１６を部分的に閉じる中間蓋１８と、ハウジング１６を完全に閉じ、中間蓋１８を覆う、外蓋２０と、を備える。中間蓋１８は、アプリケーター４の受け取りの場所２２と、従って、場所２２に受け取られるときに、アプリケーター４のヘッド１１、およびそれだけ、に向き合って設置された、ディスペンサー６の外側とケース１４の内側との間の連通開口２４と、を、呈する。以下で、この幾何学的形状が、アイテム２の作動に興味深いことを見る。
【００３３】
中間蓋１８は、ハウジング１６に取り付けられ、それに対して動かず、一方、外蓋２０は、回転軸２６の周りにハウジング１６に対して回転して動かせるように組み立てられ、ケース１４を開閉できるようになっている。しかしながら、ケース１４を閉じるあらゆる他のシステムが、設けられ得る。
【００３４】
ディスペンサー６は、メークアップ製品８を貯蔵するフレキシブルパウチ３０をさらに含み、このフレキシブルパウチ３０は、ハウジング１６に位置する剛性リザーバー２８の中に収容され、これと関連して、それは、図２に表される直交座標系の方向Ｘに従ってスライドすることによって動かせるように組み立てられ、この方向は、この場合にはアイテム２の長手方向である。
【００３５】
ディスペンサー６は、アウターバルブ３２も備え、アウターバルブ３２は、閉位置と開位置とをとること、閉位置では、バルブ３２は場所２２に受け取られるアプリケーター４から離れて位置し、開位置では、バルブ３２は場所２２に受け取られるアプリケーター４のヘッド１１に対して直接製品８を放出する。バルブ３２は、その閉位置でアプリケーター４と接触し得る。バルブ３２は、ハウジング１６におよび中間蓋１８に対して動かず、従って、剛性リザーバー２８が、バルブ３２に対してＸ方向に従ってスライドすることによって動くように組み立てられる。
【００３６】
ディスペンサー６は、バルブ３２から製品を供給するシュートまたはチャネル３４も含む。バルブ３２は、中間蓋１８の連通開口２４に向かい合わせで位置する。バルブ３２およびチャネル３４は、以下でより詳しく記載される。
【００３７】
ディスペンサー６は、空気取り入れなしに、メークアップ製品８をバルブ３２に供給するポンプ３６をさらに含む。ポンプ３６は、フレキシブルパウチ３０に結合され、製品８と流体連通する。ポンプは、リザーバー２８に取り付けられ、従って、それはリザーバーの動きに付き従う。空気取り入れのないポンプ３６は知られているので、ポンプ３６の作動はここで詳細に述べない。供給ダクト３７を介して、パウチ３０からチャネル３４まで製品８を送ることが意図されている。チャネル３４は、メークアップ製品８で充填されることができる種類のものである。リザーバー２８およびパウチ３０は、ケース１４の中に搭載されることができ、空になるとリザーバー２８を新しいリザーバーに取り替えるために、ポンプ３６に取り外しのできる仕方で結合することができる。
【００３８】
ディスペンサー６は、プッシュボタンから成る、バルブ３２を制御する外部手段３８も含む。この制御手段３８は、ハウジング１６に対して方向Ｘに従ってスライドすることによって動かせるように搭載され、バルブ３２へのメークアップ製品８の供給を制御する止め具４０と関連する。プッシュボタン３８の自由表面は、ディスペンサー６の外面に設置され、従って、プッシュボタン３８は、使用者が作動することができる。プッシュボタン３８は、バルブ３２に向かうその動きでリザーバー２８を駆動するように、配置される。
【００３９】
ディスペンサー６は、ワイパーを備えない。
【００４０】
ディスペンサーの仕組みに関するさらなる詳細について文献ＥＰ２６８７１１９を参照することができ、この文献は、参照によって本明細書に組み込まれる。
【００４１】
メークアップ製品８がどのようにフレキシブルパウチ３０からアウターバルブ３２に運ばれるかを、これから記述する。
【００４２】
図３は、アプリケーター４が、場所２２に受け取られ、製品８を受け取る用意のできた、構成のアイテム２を示す。プッシュボタン３８は、まだ使用者によって押し込まれず、リザーバー２８は、プッシュボタン３８に寄りかかっている。リザーバー２８は、この場合、アウターバルブ３２から離れた、離れた位置を占める。
【００４３】
図４に関し、使用者が、プッシュボタン３８をバルブ３２の方に、すなわち図３および４の向きを考慮して右の方に押し込むことを、想定する。プッシュボタン３８は、その動きで、リザーバー２８およびフレキシブルパウチ３０をポンプ３６の方に動かす。リザーバー２８は、従ってバルブ３２に近づき、プッシュボタン３８が制御止め具４０とぶつかるときに、リザーバー２８は、バルブ３２に近い位置を占める。
【００４４】
離れた位置と近い位置との間でのリザーバー２８の動きの際に、製品８の所定分量が、ポンプ３６によってフレキシブルパウチ３０から取り出されて、ダクト３７を使ってチャネル３４を満たし、従ってバルブ３２に供給する。所定の分量に含まれる製品８の量は、制御止め具４０の位置によって決定される。それは、プッシュボタン３８のストローク、および従ってケース１４の中のリザーバー２８のストロークを、確定するからである。従って、所定の分量に含まれる製品８の量を調整するために、ディスペンサー６の設計の際に、止め具４０の形状および長さを調整できる。
【００４５】
プッシュボタン３８が止め具４０と接触すると、製品８の分量は、バルブ３２に供給するようにフレキシブルパウチ３０から取り出される。この瞬間に、使用者はプッシュボタン３８を解放することができる。ケース１４の中に位置するリターンスプリング（図示せず）は、従ってリザーバー２８をバルブ３２と反対側の方向に押し、プッシュボタン３８をそれで動かす。リザーバー２８は、従ってその近い位置からその離れた位置に自動的に移動し、ディスペンサー６は、図３に示されている構成に戻る。言い換えれば、ディスペンサー６は、リザーバー２８がバルブ３２に近い、近い位置から、リザーバー２８がバルブ３２から離れた、離れた位置に、リザーバー２８を導くことができるリターンスプリングを含む。分配される製品の量は、止め具４０によって制御されるが、止め具４０に到達するより前にプッシュボタン３８を押すのをやめることによって、より少ない量を分配することが可能である。同じく、プッシュボタン３８への押す力をゆるめ、次にそれを再び押すことによって、分配される量を増やすことが可能である。
【００４６】
バルブ３２は、従ってメークアップ製品８を供給されることができる。
【００４７】
メークアップ製品８がアプリケーターに対して直接放出される仕方を、これから記述する。
【００４８】
図５〜８に示される実施形態では、バルブ３２は、チャネル３４を閉じる弾力性のある平らな膜または壁４２によって構成され、壁４２は、少なくとも１つのディスペンス開口４４を呈する。ディスペンス開口４４は、アプリケーター４の包囲面に対して製品８を局地的に分配するようになっている。壁４２は、この場合、互い違いの配置で割り振られた円形の外形の複数のディスペンス開口４４を呈する。チャネル３４はショルダー４６を呈し、ショルダー４６は、チャネル３４に壁４２の周囲を取り付けることができるようにする。チャネル３４は、少なくとも１つの閉鎖レリーフ４８も含み、閉鎖レリーフ４８は、壁４２の下に設置され、バルブ３２が閉位置を占めるときに開口４４をふさぐように配置される。チャネル３４は、この場合、壁４２が呈する開口４４と同じ数の閉鎖レリーフ４８を備える。ディスペンス開口４４は、アプリケーター４が受け取りの場所２２に受け取られるときの包囲面の一部に向かい合って位置する。より正確には、ディスペンス開口４４は、歯または凹凸１２に向かい合って配置され、それに対して製品８を放出することが望まれる。
【００４９】
ディスペンサー６が使用されないとき、すなわちプッシュボタン３８が押し込まれないとき、バルブ３２は、閉じられ、場所２２に受け取られるアプリケーターアセンブリ４から非ゼロ距離に位置する。閉位置にあるバルブ３２は、図７に示されている。この位置で、閉鎖レリーフ４８は、開口４４をふさぐ。製品８の分量は、従って全く出ることができない。従って、好ましくは、バルブ３２の開閉は、ディスペンス開口４４でなされる。この配置は、アプリケーター４で分配される製品８の量を最適に制御すること、および、分配の後で、バルブ３２の外面で空気にさらされる製品８の量を最小限にすることを、を可能にする。バルブの他の構成が、しかしながら適し得る。バルブは、製品８のレオロジーおよび性質に適合される。この種の分配で、液体製品およびペースト状製品を分配することができる。
【００５０】
ディスペンサー６の最初の使用の際に、チャネル３４は、製品８を含まず、空気で満たされる。プッシュボタン３８が押し込まれるときに、チャネル３４は、ポンプ３６および供給ダクト３７を介して、メークアップ製品８で満たされ、チャネル３４に含まれる空気は、バルブ３２によって放出される。特に、バルブ３２は、さしあたり製品８を放出しない。チャネル３４に含まれる全ての空気を排出して製品８に取り替えるために、プッシュボタン３８の押し込みおよび解放は、複数サイクル行われる必要がある。製品８は、閉じたチャネル３４に蓄積される。バルブ３２は静止状態で閉位置にあるので、この作業は、工場で行われることができる。
【００５１】
チャネル３４が製品８で満たされて、使用者が改めてプッシュボタン３８を押し込むと、バルブ３２が壁４２によって閉じられているので、製品８の圧力の増加を引き起こす。チャネル３４を充填するメークアップ製品８の圧力だけで、壁４２は、バルブ３２を開くために変形する。実際、壁４２が持ち上がることは、チャネル３４の閉鎖レリーフ４８から離れることを可能にする。開口４４が解放されるとき、バルブ３２は、場所２２に受け取られているアプリケーター４に対して直接製品８を放出する。より正確には、バルブは、壁４２が呈する開口４４と同じ数の製品のしずくを放出する。バルブ３２は、このように、壁４２の弾性変形のために製品８の圧力だけで開く。メークアップ製品８の、粘度、表面張力および親水性／疎水性または親油性／疎油性の性質に従って、製品のしずくは、バルブ３２によって放出され、ボールの形をとるまたは壁４２の外面に広がる。
【００５２】
バルブ３２は、アプリケーターの１つ以上の適格な領域に製品を局部的に解放することができる。従って、製品８は、ある領域に解放されることができ、他の領域に解放されない。製品が載せられた領域は、従ってまつげに製品を置くのにより適合し、載せられていない領域は、製品８をまつげに広げ、まつげを分けるのにより適合する。好ましくは、バルブ３２は、アプリケーター４の歯または凹凸１２の自由端のみに、すなわち使用者に製品８をつけるように意図されたアプリケーター４の部分のみに、メークアップ製品８を放出することができる。言い換えれば、製品８は、アプリケーター４の歯または凹凸１２の端部によって、より一般的にはアプリケーター４のアプリケーションヘッド１１が組み入れられた表面によって、構成された包囲面でバルブによって局部的に置かれる。特に、ロッド１０は、製品を無駄に載せられず、これは、製品８の浪費を減らすこと、およびこの領域での詰まりを回避することを、可能にする。
【００５３】
プッシュボタン３８が制御止め具４０にぶつかると、バルブ３２は、もはや製品８を供給されず、チャネル３４の中の製品８の圧力は、その時低下し、バルブ３２は閉じる。
【００５４】
本発明は、従って、製品ディスペンサー６を使ってメークアップアプリケーター４にメークアップ製品８を置く方法を実行し、その方法では、
−メークアップ製品８が供給されたディスペンサー６のアウターバルブ３２を開けることによって、ディスペンサー６に設置されたアプリケーター４の受け取りの場所２２に受け取られた、アプリケーター４のアプリケーターヘッド１１に対して直接メークアップ製品８を放出する、および
−バルブ３２が閉じる。
【００５５】
図９および１０に示される、本発明の第２実施形態は、先に提示された実施形態と次の点において異なる。バルブ３２は、上弾性壁５２および下弾性壁５４の２つの壁によって構成され、２つの壁は、重ねられるが間隔をあけられ、上壁５２は、少なくとも１つのディスペンス開口５６を呈し、下壁５４は、内部開口５８と、バルブ３２が閉位置を占めるときにディスペンス開口５６をふさぐように配置された少なくとも１つの閉鎖レリーフ６０と、を呈する。ディスペンス開口５６は、中央にあり、細長い。内部開口５８は、円形の外形であり、互い違いの配置で配置される。
【００５６】
バルブ３２が開いているときにそれらの開口５６，５８を連通させるために、空間が２つの壁の間に形成される。言い換えれば、バルブ３２が開いているとき、製品は、チャネル３４から内部開口５８を通って空間に、次に空間からディスペンス開口５６を通ってディスペンサー６に、相次いで移動する。上壁５２だけが、バルブ３２を開くために変形可能である。下壁５４は、剛性であり得る。
【００５７】
バルブ３２の開閉は、第１実施形態と同じ仕方で、すなわちチャネル３４を満たしているメークアップ製品８の作用だけで、行われる。
【００５８】
当然、本発明の範囲から逸脱せずに多くの変更を本発明に与えることができる。
【００５９】
アプリケーターは、文献ＷＯ２００９０３２４４３に記載されているような、曲がった櫛であり得る。
【００６０】
アプリケーターの歯または凹凸は、全て同じ長さであってよい、またはそれらのうちのいくつかが他より長くてよい。
【００６１】
開口は、特にアプリケーターの構造に応じて、壁にあらゆる他の構成に従って配置されてよい。
【００６２】
アプリケーターがブラシを構成するならば、それは毛および／または歯を含むことができる。
【図１】
0006667513.tif 000002
【図２】
0006667513.tif 000003
【図３】
0006667513.tif 000004
【図４】
0006667513.tif 000005
【図５】
0006667513.tif 000006
【図６】
0006667513.tif 000007
【図７】
0006667513.tif 000008
【図８】
0006667513.tif 000009
【図９】
0006667513.tif 000010
【図１０】
0006667513.tif 000011